(57)【要約】【課題】            天井面の点検開口と点検口がずれていても開閉蓋を開閉して機能部品の保守点検が可能な熱交換換気装置を得る。【解決手段】        天井裏の空間等に設置される、熱交換器を備えた給排気式の熱交換換気装置について、設置状態で天井面に臨む本体箱体５の底に点検口１７を開設し、この点検口１７にガイドレール１８を設け、ガイドレール１８に横方向へのスライドによって点検口１７を開閉できるスライド開閉蓋１９を設ける。そして、閉止状態のスライド開閉蓋１９と点検口１７間の気密を、スライド開閉蓋１９の閉止端においてスライド開閉蓋１９の一端側を上り勾配の斜面で案内して持ち上げる傾斜ガイド２０と、スライド開閉蓋１９の他端側を持ち上げるだぼ構造２１により保持する。【選択図】          図３
2006258305.tif 000002
【特許請求の範囲】
【請求項１】
天井裏の空間等に設置される、熱交換器を備えた給排気式の熱交換換気装置であって、設置状態で天井面に臨む本体箱体の底に点検口を開設し、この点検口にガイドレールを設け、このガイドレールに横方向へのスライドによって前記点検口を開閉できるスライド開閉蓋を設けた熱交換換気装置。
【請求項２】
請求項１に記載の熱交換換気装置であって、閉止状態のスライド開閉蓋と点検口間の気密を保持する気密保持手段を設けた熱交換換気装置。
【請求項３】
請求項２に記載の熱交換換気装置であって、気密保持手段がスライド開閉蓋を閉止時に持ち上げて、ガイドレールに圧接するようにした構成である熱交換換気装置。
【請求項４】
請求項３に記載の熱交換換気装置であって、気密保持手段がスライド開閉蓋の閉止端において同スライド開閉蓋の一端側を上り勾配の斜面で案内して持ち上げる傾斜ガイドと、このスライド開閉蓋の他端側を持ち上げるだぼ構造で構成された熱交換換気装置。
【請求項５】
請求項２に記載の熱交換換気装置であって、気密保持手段がスライド開閉蓋に貼着されたシール部材である熱交換換気装置。
【請求項６】
請求項１〜請求項５までのいずれかに記載の熱交換換気装置であって、スライド開閉蓋の開放側への過度のスライドを規制するストッパを設けた熱交換換気装置。
【発明の詳細な説明】
【技術分野】
【０００１】
本発明は、天井裏の空間等に設置し、給排気流間で熱交換を行う熱交換換気装置に関するものである。
【背景技術】
【０００２】
天井裏の空間等に設置される熱交換換気装置の中には、室内空気の流れである排気流を、熱交換器を迂回するバイパスに流し、熱交換をしない給排気による換気も行えるようにしたものがある。バイパスの開閉は、電動ダンパ装置によって行われるようになっている。春とか秋とかの中間季には、バイパスを使った普通換気を行うことができる。なお、この種の従来技術としては特許文献１に示されているものがある。
【０００３】
【特許文献１】特開平５−２５６４８５号公報
【発明の開示】
【発明が解決しようとする課題】
【０００４】
従来のこの種の熱交換換気装置は、エアーフィルタや熱交換器或いは、電動ダンパ装置の保守点検のための点検口が本体箱体の底に設けられている。この点検口は開閉蓋がネジによって取付けられている。開閉蓋を開けることで、機能部品の保守点検を行うことができるのであるが、設置後に天井面が張られることがあり、天井面に設けられる点検開口と点検口の位置がずれると開閉蓋のネジを外すことが困難になることがある。また、天井面との間隔が狭隘な場合にも開閉蓋のネジを外すことが困難になる。
【０００５】
本発明は、上記した課題を解決するためになされたものであり、その目的とするところは、天井面の点検開口と点検口がずれていても開閉蓋を開閉して機能部品の保守点検が可能な熱交換換気装置を得ることであり、その開閉蓋の機能の充実を推進することである。
【課題を解決するための手段】
【０００６】
上記課題を解決するために本発明は、天井裏の空間等に設置される、熱交換器を備えた給排気式の熱交換換気装置であって、設置状態で天井面に臨む本体箱体の底に点検口を開設し、この点検口にガイドレールを設け、このガイドレールに横方向へのスライドによって点検口を開閉できるスライド開閉蓋を設ける手段を採用する。
【発明の効果】
【０００７】
本発明によれば、天井面に設けられる点検開口と熱交換換気装置の点検口の位置が多少ずれていても、スライド開閉蓋を天井面に沿う方向にスライドさせて点検口を開閉することができ、また、天井面との間隔が狭隘な場合にもスライド開閉蓋を簡単に開閉することができる。
【発明を実施するための最良の形態】
【０００８】
本発明の熱交換換気装置は、天井裏の空間等に設置される天井埋込型であって室内の空気を取入れ室外へ排気するための排気通路と、室外の空気を取入れ室内へ給気するための給気通路とが本体箱体内に画成されている。設置状態で天井面に臨む本体箱体の底に点検口が開設されている。この点検口の内側には対向向きにチャンネル状の二本のガイドレールが設けられている。このガイドレールに横方向へのスライドによって点検口を開閉できるスライド開閉蓋が設けられている。本体箱体とガイドレールには、閉止状態のスライド開閉蓋と点検口間の気密を保持する気密保持手段が設けられている。気密保持手段は、スライド開閉蓋の閉止端においてスライド開閉蓋の一端側を上り勾配の斜面で案内して、ガイドレールの上側フランジに持ち上げて圧接させる傾斜ガイドと、このスライド開閉蓋の他端側を持ち上げるガイドレールの下側フランジに凸設されただぼ構造で構成されている。給気通路の一部は、内蔵された熱交換器の二次通路で構成されている。また、排気通路の一部は、熱交換器の一次通路で構成されている。熱交換器の通路の入口にはエアーフィルタが設けられている。給気通路には熱交換器の二次通路を通過する給気流を形成する給気用送風機が設けられている。排気通路には熱交換器の一次通路を通過する排気流を形成する排気用送風機が設けられている。点検口は、この熱交換器やエアーフィルタを保守点検できる位置に設けられている。
【０００９】
給気通路は、室外吸込口を入口端とし、室内吹出口を出口端とする一連の風路であり、室外吸込口は、ダクトを介して屋外に、室内吹出口は、ダクトを介して室内にそれぞれ連絡される。排気通路は、室内吸込口を入口端とし、室外吹出口を出口端とする一連の風路であり、室内吸込口は、ダクトを介して室内に連絡され、室外吹出口は、ダクトを介して屋外に連絡される。排気通路の室内吸込口は複数個が設けられ、室内吸込口の特定の一つにはダンパ装置が接続されている。ダンパ装置は、共通の一つの入口を持ち、この入口から二系統の独立した通路に分岐し、出口が二つの通風路をハウジングに構成し、通路の分岐部に開閉ブレードにより各通風路を開閉する電動ダンパ機構が設けられている。
【００１０】
ダンパ装置の通風路の一方は、熱交換器の一次通路を迂回するバイパス通路とされ、他の通風路は熱交換器の一次通路の入口にその出口が臨まされている。電動ダンパ機構の動作により、バイパス通路を閉止し、熱交換器の一次通路に通じる当該室内吸込口と続く通風路を開放することができる。また、電動ダンパ機構の動作により、バイパス通路を開放し、熱交換器の一次通路に通じる通風路を閉止することができ、さらにバイパス通路を閉止し、熱交換器の一次通路に通じる通風路も閉止することができる。
【００１１】
この熱交換換気装置は、住宅の天井裏等に設置し、室内吸込口と室内吹出口をダクトでそれぞれ室内に連絡させ、室外吸込口と室外吹出口を屋外に連絡させることによって住宅全体を常時換気する換気システムが構築できる。点検口は、天井面に臨まされ、点検口に対応する天井の位置には蓋付きの点検開口が設けられる。天井の点検開口を開け、スライド開閉蓋を天井に沿って横方向にスライドさせ、点検口を開放させることにより熱交換器やエアーフィルタの保守点検を行うことができる。このとき、天井の点検開口と点検口の位置関係がずれていたり、天井と点検口が近接していてもスライド開閉蓋は、ネジ操作などを伴わないし、天井と干渉しないので開閉することができる。開けたスライド開閉蓋を閉止していくと、気密保持手段が作用してスライド開閉蓋の閉止端においてスライド開閉蓋の一端側を上り勾配の斜面で案内して持ち上げる傾斜ガイドによって、ガイドレールの上側フランジに圧接され、スライド開閉蓋の他端側がガイドレールのだぼ構造によって持ち上げられ、ガイドレールの上側フランジに圧接されてスライド開閉蓋と点検口間の気密が保持される。
【００１２】
実施の形態１．
図１〜図６によって示す本実施の形態は、天井裏空間の天井面に沿って設置して住居全体の換気を行う熱交換換気装置に関するものである。図１は、熱交換換気装置を適用した住居を示す断面構成図、図２は熱交換換気装置の構成を示した平面構成図、図３は、熱交換換気装置の本体箱体の分解斜視図、図４は、図３のＢ矢印部の拡大断面図、図５は、ダンパ装置を示した断面図、図６は、気密保持手段の他の形態を示す平面図である。
【００１３】
本実施の形態の熱交換換気装置１は、図１に示すように天井裏空間等に設置されダクト２を中心として室内外と連絡されるものであり、室内の空気を取入れ室外へ排気するための排気通路３と、室外の空気を取入れ室内へ給気するための給気通路４とが本体箱体５内に画成されている。給気通路４の一部は、本体箱体５の中央に設けられた熱交換器６の二次通路で構成されている。また、排気通路３の一部は、同じ熱交換器６の一次通路で構成されている。給気通路４には熱交換器６の二次通路を通過する給気流を形成する給気用送風機７が設けられている。排気通路３には熱交換器６の一次通路を通過する排気流を形成する排気用送風機８が設けられている。
【００１４】
給気通路４は、本体箱体５の側面に開けられた室外吸込口９を入口端とし、室内吹出口１０を出口端とする一連の風路であり、室外吸込口９は、ダクト２を介して屋外に、室内吹出口１０は、ダクト２を介して室内にそれぞれ連絡される。排気通路３は、室内吸込口１１を入口端とし、室外吹出口１２を出口端とする一連の風路であり、室内吸込口１１は、排気用送風機１１の吸込み側に設けられ、ダクト２を介して室内に連絡される。室外吹出口１２は、ダクト２を介して屋外に連絡される。排気通路３の室内吸込口１１は、本体箱体５の側面に複数設けられ、そのうちの特定の室内吸込口１１は、ダンパ装置１３が接続されている。
【００１５】
ダンパ装置１３は図５に示すように、共通の一つの入口を持ち、この入口から二系統の独立した通路に分岐し、出口が二つの通風路をハウジングに構成し、通路の分岐部にアングル状の開閉ブレードにより各通風路を開閉する電動ダンパ機構１４が設けられている。通風路の一方は、熱交換器６の一次通路を迂回するバイパス通路１５とされ、他の通風路は熱交換器６の一次通路の入口にその出口が臨まされている。熱交換器６の通路の入口にはエアーフィルタ１６が設けられている。
【００１６】
エアーフィルタ１６及び熱交換器６は、本体箱体５の底に設けられた点検口１７から保守点検できるようになっている。点検口１７の内側には対向向きにチャンネル状の二本のガイドレール１８が設けられている（図３参照）。このガイドレール１８に横方向へのスライドによって点検口１７を開閉できるスライド開閉蓋１９が設けられている。本体箱体５とガイドレール１８には、閉止状態のスライド開閉蓋１９と点検口１７間の気密を保持する気密保持手段が設けられている。気密保持手段は、スライド開閉蓋１９の閉止端においてスライド開閉蓋１９の一端側を上り勾配の斜面で案内して、ガイドレール１８の上側フランジに持ち上げて圧接させる二本の傾斜ガイド２０と、このスライド開閉蓋１９の他端側を持ち上げるガイドレール１８の下側フランジ及びスライド開閉蓋１９の下面に凸設されただぼ構造２１で構成されている（図４参照）。この気密保持手段は、図６のようにスライド開閉蓋１９の辺縁に伸縮性のあるシール部材２２を貼着した構成を採用してもよい。
【００１７】
電動ダンパ機構１４の回動動作により、バイパス通路１５を閉止し、熱交換器６の一次通路に通じる当該室内吸込口１１と続く通風路を開放することができる（図５参照）。また、電動ダンパ機構１４の回動動作により、バイパス通路１５を開放し、熱交換器６の一次通路に通じる通風路を閉止することができ、さらに、バイパス通路１５を閉止し、熱交換器６の一次通路に通じる通風路も閉止することができる。この構成により、特定の室内吸込口１１を複数設け、それらをハウジングに接続することによって、上記した三機能を室内吸込口１１について果たさせることができる。
【００１８】
点検口１７は、天井面に臨まされ、図１に示すように点検口１７に対応する天井２３の位置には蓋付きの点検開口２４が設けられる。天井２３の点検開口２４を開け、スライド開閉蓋１９を、その引手に手を掛けて天井２３に沿って横方向にスライドさせ、点検口１７を開放させることにより熱交換器６やエアーフィルタ１６の保守点検を行うことができる。このとき、天井２３の点検開口２４と点検口１７の位置関係がずれていたり、天井２３と点検口１７が近接していてもスライド開閉蓋１９の開閉には、ネジ操作などを伴わないし、天井２３と干渉しないので開閉することができる。開けたスライド開閉蓋１９を閉止していくと、気密保持手段が作用してスライド開閉蓋１９の閉止端においてスライド開閉蓋１９の一端側を上り勾配の斜面で案内して持ち上げる傾斜ガイド２０によって、ガイドレール１８の上側フランジに圧接され、スライド開閉蓋１９の他端側がガイドレール１８とスライド開閉蓋１９のだぼ構造２１によって持ち上げられ、ガイドレール１８の上側フランジに圧接されてスライド開閉蓋１９と点検口１７間の気密が保持される。ガイドレール１８の上側フランジにシール部材を貼着すれば、気密保持はよりしっかりする。スライド開閉蓋１９の過度の開放は、本体箱体５の底に設けたストッパ２５で規制され、脱落したりしない。
【００１９】
この熱交換換気装置１は、図１に示すように住宅の天井裏の空間に天井面に沿って設置し、室内吸込口１１と室内吹出口１０をダクト２でそれぞれ室内に連絡させ、室外吸込口９と室外吹出口１２を屋外に連絡させることによって住宅全体を常時換気する換気システムが構築できる。室内吸込口１１のバイパス通路１５に通じるものは、浴室Ｌ１に連絡させ、他の室内吸込口１１は、ダクト２によりトイレＬ２と洗面所Ｌ３に連絡させる。室内吹出口１０は、居室Ｌ４に連絡させる。給気用送風機７と排気用送風機８を運転すれば、居室Ｌ４から外気が供給され、ガラリ等を通じて廊下Ｌ５、トイレＬ２、洗面所Ｌ３、浴室Ｌ１から住宅の空気が屋外へ排気される。
【００２０】
そして、給気流と排気流とは熱交換器６において連続して熱交換され、状態量の変動の少ない熱交換換気が実施できる。このとき、トイレＬ２と洗面所Ｌ３については常に熱交換器６を通して排気されるが、浴室Ｌ１については、バイパス通路１５を、電動ダンパ機構１４を動作させ、熱交換器６に通じる通風路を閉止し、バイパス通路１５を開放させることにより、熱交換器６を通さずに排気することができる。また、電動ダンパ機構１４の動作により、バイパス通路１５を閉止し、熱交換器６の一次通路に通じる通風路も閉止し、浴室Ｌ１の換気そのものを停止させることができる。これにより、浴室Ｌ１については、排気による換気を停止させることができ、冬季における入浴時等に換気で寒さを覚えたりすることなく、夏季にはバイパス通路１５により浴室Ｌ１の暖気を熱交換器６を通さずに排気することができる。
【図面の簡単な説明】
【００２１】
【図１】熱交換換気装置を適用した住居を示す断面構成図である。（実施の形態１）
【図２】熱交換換気装置の構成を示した平面構成図である。（実施の形態１）
【図３】熱交換換気装置の本体箱体の分解斜視図である。（実施の形態１）
【図４】図３のＢ矢印部の拡大断面図である。（実施の形態１）
【図５】ダンパ装置を示した断面図である。（実施の形態１）
【図６】気密保持手段の他の形態を示す平面図である。（実施の形態１）
【符号の説明】
【００２２】
１  熱交換換気装置、  ３  排気通路、  ４  給気通路、  ６  熱交換器、  ７  給気用送風機、  ８  排気用送風機、  １７  点検口、  １８  ガイドレール、  １９  スライド開閉蓋、  ２０  傾斜ガイド、  ２１  だぼ構造、  ２２  シール部材。
【図１】
2006258305.tif 000003
【図２】
2006258305.tif 000004
【図３】
2006258305.tif 000005
【図４】
2006258305.tif 000006
【図５】
2006258305.tif 000007
【図６】
2006258305.tif 000008